(57)【特許請求の範囲】
【請求項１】
一方の極性の小振幅幅広のパルスに続く他方の極性の大振幅幅狭パルスから成る両極性電圧パルスを発生するパルス発生装置と、このパルス発生装置に接続され、前記の両極性電圧パルスをあらかじめ定めた時間に発生させるタイマーとを備えた電圧パルス印加装置（１）と、そしてこの電圧パルス印加装置（１）から延びる複数の導体（２１）のそれぞれに取付けたパルス印加電極（２２）とを備え、
前記の導体（２１）は松の幹の中ほどから頂部にかけて幹から延びている枝に前記の電極（２２）を取り付けるに足りる長さとなっており、
さらに、
前記のパルス発生装置（１）の非接地側の出力端子（１２）に抵抗を介して接続され、電圧パルス印加装置（１）のケーシングに絶縁して固定された先端がとがった電極（１４）を備えた松枯れ予防処理装置。
【発明の詳細な説明】
【０００１】
【発明の属する技術分野】
本発明は、松くい虫等の病虫害の防除方法と装置に関し、具体的に言えばマツノザイセンチュウの松への侵入又は侵入したマツノザイセンチュウの増殖を電撃によって抑制して松枯れを予防する松枯れ予防処理装置に関する。
【０００２】
【従来の技術】
出願人は平成８年７月１１日に「害虫被害を受けた立木の枯れ抑制方法」について特許出願をした（特願平８−１８２２０６；特開平１０−２３８５２）。本願発明の松枯れ予防処理装置は特願平８−１８２２０６に開示した装置を本願発明の「害虫による松枯れ予防法」に使用できるよう改良したものである。
【０００３】
【発明が解決しようとする課題】
マツノザイセンチュウの松への侵入又は侵入したマツノザイセンチュウの増殖を電撃によって抑制して松枯れを予防する松枯れ予防法は有効であるが、その予防法を効率的、且つ、効果的に実施するのは、数本の立ち木に対してならともかく、群生している松に対しては現実には不可能といってもよい。
【０００４】
本発明の目的は、大量の松に対しても効率的、且つ、効果的に電撃を加えてマツノザイセンチュウの松への侵入又は侵入したマツノザイセンチュウの増殖を抑制する装置を提供することにある。
【０００６】
【課題を解決するための手段】
カミキリが健全な松の樹枝に飛来して、その樹皮を餌としてかじり、その際カミキリの気門からマツノザイセンチュウ（以下、「線虫」という）が樹枝内に侵入する。樹枝内で線虫は増殖しながら樹幹内に拡散し、その増殖による水ストレスなどにより松は枯死する。
【０００７】
詳しく言えば、樹皮をかじった後、その傷口に数万匹の線虫が定着し、３日も経過するとその侵入部で脱皮、交尾、産卵、増殖を繰り返し、一週間もすると樹幹内に拡散していく。雌雄２対の線虫はほぼ１５日間で２６万匹にも増加する。２０日ぐらいすると、それ以後は線虫は世代交代を４，５日単位で繰り返し、一月も経つと樹幹全体に線虫が分布する。
【０００８】
本発明者は健全な松の幹の中ほどから頂部にかけて幹から延びている枝にカミキリが飛来する傾向があることを確認し、それらの枝で増殖し、幹に侵入、増殖する初期増殖段階で電撃を加えるのが最も効果的であり、また複数の枝に加えたパルス電圧は枝における線虫の増殖を抑制すると同時に、複数の枝から幹内にパルス電流が収束して大地に流れ、それにより幹内に既に侵入した線虫の増殖も抑制することを確認した。その抑制効果は、従来、樹幹に電撃を加えて線虫の増殖を抑制していた場合の効果に比して遥かに顕著である。
【０００９】
すなわち、上記の目的を達成する本発明の松枯れを予防する装置によれば、松の幹の中ほどから頂部にかけて幹から延びている枝のすべて、もしくはその中から複数の枝を選択し、それらの枝に電圧パルスを加えて枝から幹を通して電流パルスを大地に流し前記の枝に寄生した線虫の増殖活動を抑制する。現実には選択されない枝については線虫の増殖は避けられないが、高枝の枯死区域は効果的に限定される。実際に枝の選択は大きな枝、枝振りのよい枝についてなされることもある。
【００１０】
電圧パルスは、一方の極性の小振幅幅広のパルスに続く他方の極性の大振幅幅狭パルスから成り、この両極性電圧パルスを反復して印加する。一方の極性の小振幅幅広のパルスの印加は、後続する他方の極性の大振幅幅狭パルスを効果的に印加させる下ごしらえ的効果を奏し、また両パルスが接続するパルスの立下りと立ち上がりとは加わり合って線虫の増殖抑制に効果的な振幅となる。
【００１１】
すなわち、本発明の松枯れ予防処理装置は、一方の極性の小振幅幅広のパルスに続く他方の極性の大振幅幅狭パルスから成る両極性電圧パルスを発生するパルス発生装置と、このパルス発生装置に接続され、前記の両極性電圧パルスをあらかじめ定めた時間に発生させるタイマーとを備えた電圧パルス印加装置（１）と、そしてこの電圧パルス印加装置（１）から延びる複数の導体（２１）のそれぞれに取付けたパルス印加電極（２２と）を備え、前記の導体（２１）は松の幹の中ほどから頂部にかけて幹から延びている枝に前記の電極（２２）を取り付けるに足りる長さとなっており、さらに、前記のパルス発生装置（１）の非接地側の出力端子（１２）に抵抗を介して接続され、電圧パルス印加装置（１）のケーシングに絶縁して固定された先端がとがった電極（１４）を備えたことを特徴とする。
【００１２】
使用に当たっては、電圧パルス印加装置を樹幹に固定し、選択した高枝に電極を取付ければよい。タイマーで設定した時間に自動的に電圧パルスを加える。一実験例によれば１パルスでほぼ９日間増殖を抑制できる。
【００１３】
上記の予防処理方法を効率よく実施するための本発明の別の松枯れ予防処理装置は、一方の極性の小振幅幅広のパルスに続く他方の極性の大振幅幅狭パルスから成る両極性電圧パルスを発生するパルス発生装置、このパルス発生装置から延びる一本の導体に取付けたパルス印加電極、そして前記の導体をその長さにわたって支持し、前記の電極を頂端に支持する竿を備え、前記の導体と竿とは松の幹の中ほどから頂部にかけて幹から延びている枝に前記の電極を当てるに足りる長さとなっている。
【００１４】
作業員がこの竿を手に持って選択した高枝に電極を当て、電圧パルスを印加して予防処理を行う。
【００１５】
【発明の実施の形態】
図１と図２を参照する。健全な松の幹の中ほどから頂部にかけて幹から延びている枝（影をつけた部分）の中から複数の枝を選択し、これらの選択した枝に電圧パルスを加えて枝から幹を通して電流パルスを大地に流し前記の選択した枝に寄生した線虫の増殖活動を抑制する。図４に示すように電圧パルスは、一方の極性の小振幅幅広のパルス（振幅Ｅ１、幅Ｔ１）に続く他方の極性の大振幅幅狭パルス（振幅Ｅ２、幅Ｔ２）から成り、この両極性電圧パルスを反復して印加する。
【００１６】
上記の予防処理方法を効率よく実施する松枯れ予防処理装置を図１を参照して説明する。図１に示すように、松枯れ予防処理装置は両極性電圧パルス（図４参照）を発生するパルス発生装置と、このパルス発生装置に接続され、両極性電圧パルスをあらかじめ定めた時間に発生させるタイマー４とを備えた電圧パルス印加装置１を含み、さらに電圧パルス印加装置１から延びる複数の導体２１のそれぞれに取付けたパルス印加電極２２を含んでいる。導体２１は松の幹の中ほどから頂部にかけて幹から延びている枝に電極２２を取り付けるに足りる長さとなっている。
【００１７】
パルス発生装置は電源２（電池）に接続された電源回路３からそれぞれ給電され、作動するパルス発生回路５、このパルス発生回路５に接続され、発生するパルスの周期を調整する周期調整回路６、パルス発生回路５に接続され、発生するパルスの幅を調整するパルス幅調整回路７、パルス発生回路５に接続され、発生するパルスの振幅を調整する電圧調整回路８、この電圧調整回路８に一次側巻線１１ａの一端を接続し、他端をトランジスタ１０のコレクタ電極に接続した昇圧トランス１１、この昇圧トランス１１の二次側巻線１１ｂに入力側で接続され、出力側でそれぞれパルス幅調整回路７、電圧調整回路８そして周期調整回路６に接続されているセンサ回路９から成る。
【００１８】
パルス幅調整回路７の出力端子はトランジスタ１０のベース電極に接続され、エミッター電極は設置されている。昇圧トランス１１の二次巻線１１ｂは電圧パルス印加装置１の出力端子１２，１３に接続され、一方の出力端子１２はケーブル２１を介して電極２２に接続され、高枝に電圧パルスを加え、他方の出力端子１３は接地されている。
【００１９】
ケーブル２１が万一切断したとき人体に高電力のパルス電圧が印加する事態を回避するため出力端子１２に抵抗を介して接続した、先端がとがった電極１４を電圧パルス印加装置１のケーシングに絶縁して固定する。この電極１４を利用して電圧パルス印加装置１を樹幹に固定する。
【００２０】
センサ回路９は常時電圧パルス印加装置１の出力電圧を監視しており、松の枝や幹の状態の変化に応じて変動する電圧パルスの幅、振幅そして周期を設定基準値と比較して差分出力９ａ、９ｂ、９ｃをパルス幅調整回路７、電圧調整回路８、周期調整回路６へ送って所定の両極性電圧パルス（図４参照）を印加するよう帰還制御している。
【００２１】
使用に当たっては、電圧パルス印加装置１を樹幹に固定し、選択した高枝に電極２２を取付ければよい。タイマー４で設定した時間に自動的に電圧パルスを加える。電圧パルスを同時に各枝に加えると、図２に示すように各枝からの電流パルスは樹幹内を大地に向かって流れ、樹幹内に侵入した線虫がいてもその増殖を抑制することができる。
【００２２】
予防処理を効率よく実施する別の松枯れ予防処理装置を図３に示す。この装置は電圧パルス印加装置１と、この電圧パルス印加装置１から延びる一本の導体３１に取付けたパルス印加電極３２と、導体３１をその長さにわたって支持し、電極３２を頂端に支持する竿３３とを備えている。導体３１と竿３３とは松の幹の中ほどから頂部にかけて幹から延びている枝に電極３２を当てるに足りる長さとなっている。
【００２３】
図１に示すように作業員が竿３３を手に持って選択した高枝に電極３２を当て、電圧パルスを印加して予防処理を行う。
【００２４】
樹齢と高枝数との関連を実地に基づいて示すと以下の通りである（使用台数は予防処理装置の電極数５とした場合）。
【００２５】
0003639551.tif 000002
【００２６】
【発明の効果】
立ち木数の多少にかかわらず効果的に松枯れの予防処理を実施できる。
【図面の簡単な説明】
【図１】本発明の松枯れの予防処理方法とその装置を示す略図。
【図２】松枯れの予防処理の実施を示す略図であり、樹幹内の電流パルスの分布を示す。
【図３】本発明の松枯れの予防処理装置の略図。
【図４】両極性電圧パルスの波形図。
【符号の説明】
１：電圧パルス印加装置
２：電源
３：電源回路
４：タイマー４
５：パルス発生回路
６：周期調整回路
７：パルス幅調整回路
８：電圧調整回路
９：センサ回路
１０：トランジスタ
１１：昇圧トランス
１２：出力端子
１３：出力端子
１４：先端がとがった電極
２１：導体
２２：パルス印加電極
３１：一本の導体
３２：パルス印加電極
３３：竿
【図１】
0003639551.tif 000003
【図２】
0003639551.tif 000004
【図３】
0003639551.tif 000005
【図４】
0003639551.tif 000006